(57)【要約】【課題】エレベーターの管理装置及びこれを監視制御するエレベーター監視制御装置間のエレベーター仕様とビル仕様の違いによるデータ変換を工事ごとに対応する必要をなくする。【解決手段】データ変換装置３にエレベーター／ビル情報変換テーブル記憶部３４を設け、これにエレベーター監視制御装置１から送信されたエレベーター仕様とビル仕様の変換ルールを記載した変換テーブルを記憶する。データ送受信装置３１で受信する監視制御装置１からの制御データ及びデータ送受信装置３２で受信する管理装置２からの監視データを、データ変換手段３５が変換テーブル記憶部３４から読み出した変換テーブルにより変換して、それぞれ管理装置２及び監視制御装置１へ送信する。【選択図】　　　　図１
2004051310.tif 000002
【特許請求の範囲】
【請求項１】
複数台のエレベーターを運行管理・制御するエレベーター管理装置を、エレベーター監視制御装置で監視制御する装置において、上記エレベーター監視制御装置と上記エレベーター管理装置の間に接続され、上記エレベーターの仕様とビルの仕様を変換テーブルを介して相互に変換して出力するデータ変換装置を備えたことを特徴とするエレベーターの統合監視装置。
【請求項２】
エレベーター監視制御装置には、エレベーター管理装置からの監視データを表示するデータ表示手段と、上記エレベーター管理装置を制御するデータを入力するデータ入力手段と、エレベーターの仕様とビルの仕様の変換ルールを記載したエレベーター／ビル情報変換テーブルを記憶する変換テーブル記憶部と、電源投入時上記エレベーター／ビル情報変換テーブルをデータ変換装置へ送信する変換テーブル送信手段とを設けたことを特徴とする請求項１記載のエレベーターの統合監視装置。
【請求項３】
データ変換装置には、エレベーター監視制御装置から出力される制御データ及びエレベーター管理装置から出力される監視データを送受信するデータ送受信手段と、電源投入時上記エレベーター監視制御装置から出力される上記エレベーターの仕様とビルの仕様の変換ルールを記載したエレベーター／ビル情報変換テーブルを受信する変換テーブル受信手段と、上記受信した変換テーブルを記憶する変換テーブル記憶部と、上記記憶された変換テーブルを読み出して上記データ送受信手段で受信したデータを変換するデータ変換手段とを設けたことを特徴とする請求項１記載のエレベーターの統合監視装置。
【請求項４】
エレベーター監視制御装置及びデータ変換装置に保守用入力装置を接続し、この保守用入力装置に、変換テーブルを記憶しかつこれを送信する記憶・送信手段と、電源投入前に上記変換テーブルをあらかじめデータ変換装置へ送信する変換テーブル送信手段とを設けたことを特徴とする請求項１記載のエレベーターの統合監視装置。
【請求項５】
複数台のエレベーターを運行管理・制御するエレベーター管理装置を、エレベーター監視制御装置で監視制御する方法において、上記エレベーター監視制御装置と上記エレベーター管理装置の間でデータ送受信する際に、上記エレベーターの仕様とビルの仕様を相互に変換して出力するステップを備えたことを特徴とするエレベーターの統合監視方法。
【発明の詳細な説明】
【０００１】
【発明の属する技術分野】
この発明はエレベーター管理装置を統合して監視制御する装置に関するものである。
【０００２】
【従来の技術】
エレベーターの制御に用いるデータは、急行ゾーンなどのエレベーターを管理するうえでは不要なデータは省いて扱っているが、ビルの表示などビルに関連したデータを扱う場合には、エレベーターでは不要なデータも扱う必要があり、エレベーター仕様とビル仕様は、異なったデータの扱いをしていることが多い。ここで、エレベーター仕様とは、エレベーターで扱う仕様のことで、処理負荷の低減、通信負荷の削減などの理由から、急行ゾーンなどのエレベーターの制御には不要なデータを省いたデータである。つまり、エレベーターが管理している階を示す。
【０００３】
一方、ビル仕様は、ビル固有のデータで、急行ゾーンがあっても、ビルとしては階床を持っていれば、それは階床として認識される。つまり、実際の階を示す。
上記のような事情から、エレベーター仕様とビル仕様の間で変換処理を行わなければ、エレベーター監視制御装置とエレベーター管理装置とのデータの送受信に支障が生じることになる。
【０００４】
例えば、特開２００２−５３２７６号公報に示される従来のエレベーター統合監視装置では、このエレベーター仕様とビル仕様の違いによるデータの変換処理を、エレベーター監視制御装置又はエレベーター制御装置で行うようにしている。
【０００５】
【発明が解決しようとする課題】
上記のような従来のエレベーター統合監視装置では、データの変換処理をエレベーター監視制御装置又はエレベーター制御装置で行うようにしているため、エレベーターの仕様が変更になったり、ビルの仕様変更や工事ごとの仕様変更に対応したりするために、毎回変更処理をしなければならない。このため、作業工数が多くなるとともに、わずかな変更でも現地で修正することが困難であるという問題点がある。
【０００６】
この発明は上記問題点を解消するためになされたもので、エレベーター仕様やビル仕様を意識することなく、設計工数及び工事ごとの工数を削減できるようにしたエレベーターの統合監視装置を提供することを目的とする。
【０００７】
【課題を解決するための手段】
この発明の第１発明に係るエレベーターの統合監視装置は、複数台のエレベーターを運行管理・制御するエレベーター管理装置を、エレベーター監視制御装置で監視制御する装置において、上記エレベーター監視制御装置と上記エレベーター管理装置の間に接続され、上記エレベーターの仕様とビルの仕様を変換テーブルを介して相互に変換して出力するデータ変換装置を備えたものである。
【０００８】
また、第２発明に係るエレベーターの統合監視装置は、第１発明のものにおいて、エレベーター監視制御装置には、エレベーター管理装置からの監視データを表示するデータ表示手段と、上記エレベーター管理装置を制御するデータを入力するデータ入力手段と、エレベーターの仕様とビルの仕様の変換ルールを記載したエレベーター／ビル情報変換テーブルを記憶する変換テーブル記憶部と、電源投入時上記エレベーター／ビル情報変換テーブルをデータ変換装置へ送信する変換テーブル送信手段とを設けたものである。
【０００９】
また、第３発明に係るエレベーターの統合監視装置は、第１発明のものにおいて、データ変換装置には、エレベーター監視制御装置から出力される制御データ及びエレベーター管理装置から出力される監視データを送受信するデータ送受信手段と、電源投入時上記エレベーター監視制御装置から出力される上記エレベーターの仕様とビルの仕様の変換ルールを記載したエレベーター／ビル情報変換テーブルを受信する変換テーブル受信手段と、上記受信した変換テーブルを記憶する変換テーブル記憶部と、上記記憶された変換テーブルを読み出して上記データ送受信手段で受信したデータを変換するデータ変換手段とを設けたものである。
【００１０】
また、第４発明に係るエレベーターの統合監視装置は、第１発明のものにおいて、エレベーター監視制御装置及びデータ変換装置に保守用入力装置を接続し、この保守用入力装置に、変換テーブルを記憶しかつこれを送信する記憶・送信手段と、電源投入前に上記変換テーブルをあらかじめデータ変換装置へ送信する変換テーブル送信手段とを設けたものである。
【００１１】
また、第５発明に係るエレベーターの統合監視方法は、複数台のエレベーターを運行管理・制御するエレベーター管理装置を、エレベーター監視制御装置で監視制御する方法において、上記エレベーター監視制御装置と上記エレベーター管理装置の間でデータ送受信する際に、上記エレベーターの仕様とビルの仕様を相互に変換して出力するステップを備えたものである。
【００１２】
【発明の実施の形態】
実施の形態１．
図１〜図４はこの発明の第１〜第３及び第５発明の一実施の形態を示す図で、図１は全体構成図、図２はエレベーター／ビル情報変換テーブルの内容図、図３はエレベーター監視制御装置の基本的な動作フローチャート、図４はデータ変換装置の動作フローチャートである。
【００１３】
図１において、１はエレベーター監視制御装置、２はエレベーター管理装置、３は伝送路４，５を介してエレベーター監視制御装置１及びエレベーター管理装置２に接続されたデータ変換装置、６は伝送路４に接続された保守用入力装置である。
エレベーター監視制御装置１はエレベーター管理装置２による運転パターン、運行モード、かごの走行状態などを監視したり、制御したりするとともに、エレベーター仕様とビル仕様の対応を記載したエレベーター／ビル情報変換テーブル１４ａ（後述）を記憶し、これを電源投入時にデータ変換装置３へ送信する機能を有する。
【００１４】
１１はデータ変換装置３間でデータを送受信するデータ送受信手段、１２はデータ送受信手段１１に接続されエレベーター管理装置２から送信された、かごの走行状態などの監視データを表示するデータ表示手段、１３はエレベーター管理装置２へ送信する運転パターンなどの制御データを入力するデータ入力手段、１４はエレベーター仕様とビル仕様の変換ルールを記載したエレベーター／ビル情報変換テーブル１４ａをあらかじめ記憶しておくエレベーター／ビル情報変換テーブル記憶部である。
【００１５】
ここで、エレベーター／ビル情報変換テーブル１４ａの一例として、ビルの階床とエレベーターの階床の変換ルールを記載した場合を図２に示す。エレベーター管理装置２から監視データを受信したとき、この変換テーブル１４ａのエレベーター管理階で「０×００」の値のところは、ビルの階床はないものと判断し、「０×０１」の値のところは、ビルの階床があるものと判断する。この例の場合、エレベーター管理装置２からは「０×００」の値はないものとして、４個のデータがデータ変換装置３へ送信されるが、この変換テーブル１４ａに従って、８個のデータに変換され、エレベーター監視制御装置１へ送信される。
【００１６】
１５はエレベーター／ビル情報変換テーブル記憶部１４に接続され、変換テーブル１４ａをデータ変換装置３へ送信する変換テーブル送信手段である。
エレベーター管理装置２は複数のエレベーターを運行管理・制御する機能を有し、２１，２２はエレベーターのかごを運行制御するエレベーター制御装置である。
【００１７】
データ変換装置３はエレベーター管理装置２からエレベーターの監視データを受信し、受信した運行モード、かごの走行状態などの監視データをエレベーターの仕様からビルの仕様に変換してエレベーター監視制御装置１へ送信する機能を有する。また、上記とは逆に、伝送路４を介してエレベーター監視制御装置１からの運行モードなどの制御データをビル仕様からエレベーター仕様に変換して、エレベーター管理装置２へ送信する機能も有する。
【００１８】
３１はエレベーター監視制御装置１とデータを送信するデータ送受信手段、３２はエレベーター管理装置２とデータを送受信するデータ送受信手段、３３はエレベーター監視制御装置１から送信されたエレベーター／ビル情報変換テーブル１４ａを受信する変換テーブル受信手段、３４は電源投入時にエレベーター監視制御装置１から受信した変換テーブル１４ａを記憶しておくエレベーター／ビル情報変換テーブル記憶部、３５はエレベーター／ビル情報変換テーブル記憶部３４に記憶された変換テーブル１４ａを読み出して、データ受信手段３１，３２で受信したデータを変換するデータ変換手段である。
【００１９】
次に、この実施の形態の動作を説明する。
エレベーター監視制御装置１の動作（図３）
エレベーター監視制御装置１に電源が投入されると、ステップＳ１でデータ変換装置３との接続を確認した後、データ変換装置３は初期作業をあらかじめ行うことにより、どういう機種のエレベーター管理装置２と接続されているかを判断する。そして、それに対応するエレベーター／ビル情報変換テーブル１４ａをエレベーター／ビル情報変換テーブル記憶部１４から取得する。
【００２０】
次に、ステップＳ２では、取得した変換テーブル１４ａを変換テーブル送信手段１５からデータ変換装置３へ送信する。ステップＳ３でデータ送受信手段１１に、データ変換装置３からの監視データ又はデータ入力手段１３からの入力があったかを判定し、監視データを受信した場合はステップＳ４へ進み、データ入力手段１３からの制御入力を受信した場合はステップＳ６へ進む。
【００２１】
ステップＳ４では受信した監視データをチェックし、監視データをデータ表示手段１２へ送信する。そして、ステップＳ５では、受信した監視データをモニタ（図示しない）に表示する。一方、ステップＳ６でデータ入力手段１３からの制御入力を受信した場合は、ステップＳ７へ進み、データ送受信手段１１へ入力された制御データをデータ変換装置３へ送信する。
【００２２】
データ変換装置３の動作（図４）
データ変換装置３に電源が投入されると、ステップＳ１１でエレベーター監視制御装置１との接続を確認した後、変換テーブル受信手段３３は、エレベーター監視制御手段１からエレベーター／ビル情報変換テーブル１４ａを受信する。ステップＳ１２では、受信した変換テーブル１４ａをエレベーター／ビル情報変換テーブル記憶部３４に記憶する。ステップＳ１３でデータ変換手段３５は、エレベーター／ビル情報変換テーブル記憶部３４の変換テーブル１４ａを参照して、エレベーター管理装置２から受信した監視データ、及びエレベーター監視制御装置１から受信した制御データを変換処理する。
【００２３】
ステップＳ１４で上記変換されたデータが制御データであれば、データ送受信手段３２を介してエレベーター管理装置２へ送信し、監視データであれば、データ送受信手段３１を介してエレベーター監視制御装置１へ送信する。
このようにして、エレベーター／ビル情報の変換はデータ変換装置３で処理されるため、エレベーター監視制御装置１やエレベーター管理装置２では、エレベーターの仕様やビルの仕様を意識する必要がなくなる。
【００２４】
このため、エレベーター仕様とビル仕様の変換ルール表を作成しておく必要はあるが、仕様に応じた変換処理を組み込む必要がなくなり、設計工数の削減が可能となる。また、エレベーター／ビル情報変換テーブル１４ａをエレベーター監視制御装置１から受信することにより、データ変換装置３では、エレベーターやビルの仕様を意識する必要がなくなり、工事物件ごとに変更する必要がなくなり、工数の削減が可能となる。
【００２５】
実施の形態２．
この発明の第４発明の一実施の形態を示すもので、図１に示す保守用入力装置６にエレベーター／ビル情報変換テーブル１４ａを記憶させるように構成したものである。
すなわち、エレベーター監視制御装置１で管理していたエレベーター／ビル情報変換テーブル記憶部１４及び変換テーブル送信手段１５を保守用入力装置６に設け、電源投入前にあらかじめデータ変換装置３へ送信しておくようにする。
【００２６】
このようにして、エレベーター／ビル情報変換テーブル１４ａを別系統でデータ変換装置３へ送信することによって、エレベーター監視制御装置１は、工事ごとに対応する必要は全くなくなるため、監視制御データのプロトコルさえ合わせれば、他のメーカの装置を接続することが可能となる。このため、安価なエレベーター監視制御装置１を接続できれば、統合監視装置として全体的なコストを抑制することが可能となる。
【００２７】
【発明の効果】
以上説明したとおりこの発明の第１発明では、エレベーター監視制御装置とエレベーター管理装置の間にデータ変換装置を接続し、エレベーターの仕様とビルの仕様を変換テーブルを介して相互に変換して出力するようにしたので、エレベーター監視制御装置やエレベーター管理装置では、上記仕様を意識する必要がなくなり、統合監視装置全体の設計工数及び工事工数を削減することができる。
【００２８】
また、第２発明では、エレベーター監視制御装置には、データ表示手段、データ入力手段、変換テーブル記憶部及び変換テーブル送信手段を設け、変換テーブル記憶部にエレベーター／ビル情報変換テーブルを記憶するようにしたので、エレベーター監視制御装置やエレベーター管理装置では、エレベーターの仕様やビルの仕様を意識する必要がなくなり、設計工数及び工事工数を削減することができる。
【００２９】
また、第３発明では、データ変換装置には、データ送受信手段、変換テーブル受信手段、変換テーブル記憶部及びデータ変換手段を設け、変換テーブル記憶部にエレベーター／ビル情報変換テーブルを記憶し、データ変換手段で変換テーブルを読み出してデータを変換するようにしたので、エレベーター監視制御装置やエレベーター管理装置では、エレベーターの仕様やビルの仕様を意識する必要がなくなり、設計工数及び工事工数を削減することができる。
【００３０】
また、第４発明では、エレベーター監視制御装置及びデータ変換装置に保守用入力装置を接続し、これにエレベーター／ビル情報変換テーブルを記憶し、電源投入前に変換テーブルをあらかじめデータ変換装置へ送信するようにしたので、エレベーター監視制御装置は工事ごとの対応の必要は全くなくなり、統合監視装置として全体的なコストを抑制することができる。
【００３１】
また、第５発明では、エレベーター監視制御装置とエレベーター管理装置の間でデータ送受信の際にエレベーターの仕様とビルの仕様を相互に変換して出力するステップを備えたので、エレベーター監視制御装置やエレベーター管理装置では、上記仕様を意識する必要がなくなり、設計工数及び工事工数を削減することができる。
【図面の簡単な説明】
【図１】この発明の一実施の形態を示す全体構成図。
【図２】この発明の一実施の形態を示すエレベーター／ビル情報変換テーブルの内容図。
【図３】この発明の一実施の形態を示すエレベーター監視制御装置の基本的な動作フローチャート。
【図４】この発明の一実施の形態を示すデータ変換装置の動作フローチャート。
【符号の説明】
１　エレベーター監視制御装置、　２　エレベーター管理装置、　３　データ変換装置、　４，５　伝送路、　６　保守用入力装置、　１１　データ送受信手段、　１２　データ表示手段、　１３　データ入力手段、　１４　エレベーター／ビル情報変換テーブル記憶部、　１４ａ　エレベーター／ビル情報変換テーブル、　１５　変換テーブル送信手段、　２１，２２　エレベーター制御装置、　３１，３２　データ送受信手段、　３３　変換テーブル受信手段、　３４　エレベーター／ビル情報変換テーブル記憶部、　３５　データ変換手段。
【図１】
2004051310.tif 000003
【図２】
2004051310.tif 000004
【図３】
2004051310.tif 000005
【図４】
2004051310.tif 000006